(57)【要約】【課題】操作性が良く、かつ、安価な構成で水回路内の閉止および排水を行うことができる貯湯式給湯機を提供すること。【解決手段】湯水を貯湯する貯湯タンク７と、前記貯湯タンク７と連通する水回路１０と、所定圧力以上で前記貯湯タンク７内の圧力を逃す缶体保護弁１３を内部に有する止水弁１１とを備え、前記止水弁１１は排水路１２を有するとともに、前記止水弁１１を移動させることで、前記水回路１０の閉止や前記貯湯タンク７内の湯水を、前記排水路１２より排水することが可能な構成としたことを特徴とするものである。【選択図】図２
2013019649.tif 000002
【特許請求の範囲】
【請求項１】
湯水を貯湯する貯湯タンクと、前記貯湯タンクと連通する水回路と、所定圧力以上で前記貯湯タンク内の圧力を逃す缶体保護弁を内部に有する止水弁とを備え、前記止水弁は排水路を有するとともに、前記止水弁を移動させることで、前記貯湯タンク内の湯水を前記排水路より排水する構成としたことを特徴とする貯湯式給湯機。
【請求項２】
前記水回路を遮断する止水弁体と、前記水回路と外部とを遮断するシール部とを備え、前記シール部の排水下流側に、前記水回路と前記排水路と連通する開口部を設けたことを特徴とする請求項１に記載の貯湯式給湯機。
【請求項３】
前記止水弁体が前記水回路を遮断せず、かつ、前記シール部により前記水回路と外部とを遮断した状態で、前記缶体保護弁が所定圧力以上の場合に動作するように構成したことを特徴とする請求項２に記載の貯湯式給湯機。
【請求項４】
前記水回路が、前記貯湯タンク内の湯水を循環させ加熱する沸き上げ回路であることを特徴とする請求項１〜３のいずれか１項に記載の貯湯式給湯機。
【発明の詳細な説明】
【技術分野】
【０００１】
本発明は、排水機構を備えた貯湯式給湯機に関するものである。
【背景技術】
【０００２】
従来、この種の給湯機には、貯湯タンクの下部から熱源ユニットの熱交換部を通り貯湯タンクの上部へ湯水を供給する沸き上げ回路に貯湯タンク内部の過大圧によるタンク破損に対する保護機構として缶体保護弁を設けるのが一般的である（例えば、特許文献１参照）。
【０００３】
また、熱源ユニットの修理交換時に前記沸き上げ回路を閉止するために貯湯タンクに止水機構を設け、その他、停電時など非常時にタンク内部の水を取り出すことが可能な排水機構を設けるのが一般的である（例えば、特許文献２参照）。
【先行技術文献】
【特許文献】
【０００４】
【特許文献１】特開２００７−１３９２５８号公報
【特許文献２】特開２０１０−２８６１８１号公報
【発明の概要】
【発明が解決しようとする課題】
【０００５】
しかしながら、前記特許文献１に記載の従来技術では、熱源ユニットと貯湯タンクユニットとを接続する配管施工時に別途、開閉バルブを設けなければ、貯湯タンクユニット内の湯水を完全に排水しない限り熱源ユニットもしくは貯湯タンクユニットの交換作業を行うことができないことが課題となる。
【０００６】
また、前記特許文献２に記載の従来技術では、貯湯タンクユニットに止水弁を設けたことで前記特許文献１における課題は解決するものの、前記止水弁と前記缶体保護弁および前記排水機構は別筐体で構成されているために止水および排水を行うにあたり、２ヶ所の操作が必要となり、誤操作の要因となるだけでなく、機構が複雑になるという課題を有している。
【０００７】
本発明は、前記従来の課題を解決するもので、操作性が良く、かつ、安価な構成で水回路内の閉止および排水を行うことができる貯湯式給湯機を提供することを目的とする。
【課題を解決するための手段】
【０００８】
前記従来の課題を解決するために、本発明の貯湯式給湯機は、湯水を貯湯する貯湯タンクと、前記貯湯タンクと連通する水回路と、所定圧力以上で前記貯湯タンク内の圧力を逃す缶体保護弁を内部に有する止水弁とを備え、前記止水弁は排水路を有するとともに、前記止水弁を移動させることで、前記貯湯タンク内の湯水を前記排水路より排水する構成としたことを特徴とするものである。
【０００９】
これによって、前記缶体保護弁を内部に備えた前記止水弁を操作することで前記水回路の閉止および貯湯タンク内の湯水の排水を行うことが可能となり、止水または排水の操作を正確に行うことが可能となる。
【発明の効果】
【００１０】
本発明によれば、操作性が良く、かつ、安価な構成で水回路内の閉止および排水を行う
ことができる貯湯式給湯機を提供できる。
【図面の簡単な説明】
【００１１】
【図１】本発明の実施の形態１における貯湯式給湯機の構成図
【図２】同貯湯式給湯機の止水弁の断面図（通常位置）
【図３】同貯湯式給湯機の止水弁の断面図（排水位置）
【図４】同貯湯式給湯機の止水弁の断面図（止水位置）
【発明を実施するための形態】
【００１２】
第１の発明は、湯水を貯湯する貯湯タンクと、前記貯湯タンクと連通する水回路と、所定圧力以上で前記貯湯タンク内の圧力を逃す缶体保護弁を内部に有する止水弁とを備え、前記止水弁は排水路を有するとともに、前記止水弁を移動させることで、前記貯湯タンク内の湯水を前記排水路より排水する構成とすることにより、前記缶体保護弁を内蔵した前記止水弁を操作することで、貯湯タンク内の湯水を排水することができ、正確に目的の操作を行うことが可能となる。
【００１３】
第２の発明は、前記水回路を遮断する前記止水弁と、前記水回路と外部とを遮断するシール部とを備え、前記シール部の排水下流側に前記水回路と前記排水路と連通する開口部を設けたことにより、前記止水弁体を所定の位置よりも排水下流側へ移動させることで排水することが可能となる。
【００１４】
第３の発明は、前記シール部により前記水回路と外部とを遮断した状態で、前記缶体保護弁が所定圧力以上の場合に動作するように構成したことにより、いかなるときでも、貯湯タンク内の圧力が設定圧力以上になった場合に、前記缶体保護弁より圧力を逃し、貯湯タンクを過大圧による破損から保護することが可能となる。
【００１５】
第４の発明は、前記水回路が、前記貯湯タンク内の湯水を循環させ加熱する沸き上げ回路であることを特徴とするもので、熱源ユニットと貯湯タンクユニットが配管によって接続され、かつ、湯水が満たされている状態であっても、止水弁を閉止することで湯水を排水することなく、熱源ユニットと貯湯タンクユニットとを接続した配管を取り外すことが可能となる。
【００１６】
以下、本発明の実施の形態について、図面を参照しながら説明する。なお、この実施の形態によって本発明が限定されるものではない。
【００１７】
（実施の形態１）
図１は、本発明の実施の形態における貯湯式給湯機の構成図である。まず、図１を用いて本実施の形態の貯湯式給湯機の構成を説明する。なお、本発明は、図１に示す貯湯式給湯機の構成に限定されることはなく、例えば、湯張り機能や暖房機能を有している貯湯式給湯機であっても問題はない。
【００１８】
図１において、本実施の形態の貯湯式給湯機は、高温水を精製する熱源ユニット１と、内部に貯湯タンクを有する貯湯タンクユニット２とで構成されている。なお、本実施の形態では熱源ユニット１にはヒートポンプを使用しているが、これに限定されることはなく、電気ヒータ等の熱源であっても問題はない。
【００１９】
次に、熱源ユニット１の構成について説明する。熱源ユニット１は、水冷媒熱交換器３、圧縮機４、蒸発器５、膨張弁６を冷媒配管により順次環状に接続して構成されており、冷媒には二酸化炭素を使用しているため、高圧側が臨界圧力を超えるので、水冷媒熱交換器３を流通する水に熱を奪われて温度が低下しても凝縮することがなく、水冷媒熱交換器
３で冷媒と水との間で温度差を形成しやすくなり、高温の湯が得られ、かつ熱交換効率を高くすることができる。
【００２０】
また、比較的安価でかつ安定な二酸化炭素を冷媒に使用しているので、製品コストを抑えるとともに、信頼性を向上させることができる。また、二酸化炭素はオゾン破壊係数がゼロであり、地球温暖化係数も代替冷媒ＨＦＣ−４０７Ｃの約１７００分の１と非常に小さいため、地球環境に優しい製品を提供できる。
【００２１】
また、熱源ユニット１において、圧縮機４で冷媒が圧縮され、圧縮機４から吐出された冷媒が水冷媒熱交換器３で放熱し、膨張弁６で減圧されたあと、蒸発器５で空気から熱を吸収し、ガス状態で再び圧縮機４に吸入される。なお、圧縮機４の能力制御および膨張弁６の開度制御は、圧縮機４の吐出側に設けたサーミスタ（図示せず）で検出される吐出冷媒の温度が予め設定された温度を維持するように制御される。
【００２２】
次に、貯湯タンクユニット２の構成について説明する。貯湯タンクユニット２の内部には、貯湯タンク７と貯湯タンク７の下部から水道水を供給する給水管８と、貯湯タンク７の下部から水冷媒熱交換器３を経て、貯湯タンク７の上部へ加熱された湯水を供給する循環ポンプ９を有する沸き上げ回路１０と、沸き上げ回路１０を閉止する止水弁１１と、非常時に貯湯タンク内の湯水を取り出すことが可能となる排水路１２と、貯湯タンク７の内部圧力が以上上昇したときに、内部圧力を逃して貯湯タンク７の破損を防止する缶体保護弁１３とを有している。
【００２３】
また、貯湯タンク７の上部から湯水を取出す出湯管１４と、沸き上げ中の膨脹水を排水する逃がし弁１５と、逃がし弁１５の出口には膨脹水を排水する導管１６を有するとともに、所定温度の湯水を蛇口１７へ供給する給湯混合弁１８とを備えている。
【００２４】
このように構成された貯湯式給湯機において、本発明の特徴である缶体保護弁１３を内蔵した止水弁１１と排水路１２の構成について説明する。図２、図３および図４は、本発明の実施の形態における貯湯式給湯機の沸き上げ回路１０、缶体保護弁１３、止水弁１１および排水路１２の断面図である。
【００２５】
図２は、沸き上げ回路１０内を湯水が流れることが可能な状態を示す。図２に示すように、缶体保護弁１３は、缶体保護弁体１９と缶体保護弁体押さえ２０と、缶体保護弁スプリング２１と缶体保護弁スプリング押さえ２２と缶体保護弁スプリング押さえストッパー２３で構成されており、沸き上げ回路１０の圧力が所定の設定圧力以上になった場合に、缶体保護弁体１９を介して、缶体保護弁スプリング２１が圧縮され、缶体保護弁体１９が排水下流側へ移動することで、排水路１２から過大圧力分だけ湯水を排水し、沸き上げ回路１０を所定の圧力以下に調整する。
【００２６】
また、止水弁１１が図２の位置にある場合には、沸き上げ回路１０と外部とはシール部２４でシールされており、缶体保護弁体１９が移動しない限り、沸き上げ回路内の湯水が外部へ排水されることはない。
【００２７】
図２では缶体保護弁スプリング押さえ２２と缶体保護弁スプリング押さえストッパー２３で缶体保護弁スプリング２１の一端を固定しているが、缶体保護弁スプリング押さえ２２の外郭にねじ部を設けて、ねじの締め付け距離を調整することで缶体保護弁設定圧を調整することが可能な調圧機能を有する場合も考えられる。
【００２８】
なお、止水弁１１を図２の位置で固定するために、止水弁ストッパー２５を設け、止水弁１１を排水方向とは逆向きに移動させ、止水弁ストッパー２５に当たったところが図２
の位置となる。ただし、止水弁１１の位置を固定する方法を止水弁ストッパー２５に限定するものではない。
【００２９】
図３は、沸き上げ回路１０内の湯水を外部へ排水可能な状態を示す。図２に対して図３に示すように、止水弁１１は移動可能であり、図３の位置にある場合には、前記シール部２４のシールが解除され、止水弁に設けられた排水穴２６から排水路１２を通り、外部へ湯水を排水することが可能となる。
【００３０】
前記シール部２４よりも排水下流側に前記排水穴２６を設け、さらに後方に水漏れシール部２７を設けることで、排水時に排水路１２以外を通って排水されることを防ぐ。
【００３１】
なお、止水弁１１を図３の位置に固定するために、止水弁ストッパー２５を設け、止水弁１１を排水方向と同じ方向に移動させ、前記止水弁ストッパー２５に当たったところが図３の位置となる。
【００３２】
これにより、止水弁１１を排水方向と同じ方向に止水弁ストッパー２５に当たるところまで移動させることで、排水路１２からのみ排水することが可能となる。ただし、止水弁１１の位置を固定する方法を止水弁ストッパー２５に限定するものではない。
【００３３】
図４は、沸き上げ回路１０を上下流に分断した状態を示す。止水弁１１が図４の位置にある場合には、止水弁体２８が沸き上げ回路１０の開口部を塞ぎ、沸き上げ回路１０の流れを塞き止める。
【００３４】
なお、前記止水弁１１は前記止水弁ストッパー２５を取り外すことで、前記図２の位置からさらに排水方向逆向きに移動させることが可能となる。
【００３５】
ただし、止水弁１１の位置を固定する方法を止水弁ストッパー２５に限定するものではなく、止水弁ストッパー２５を用いずに止水弁１１を図２および図３の位置を決める場合には、止水弁ストッパー２５を取り外す必要はない。
【００３６】
通常、施工に関する専門知識を有しない一般使用者は、貯湯式給湯機使用する図２に示す状態と、非常時に使用する図３に示す排水状態を利用するのみであり、単に止水弁１１を移動させるだけで図２および図３の状態を作り出すことができる。
【００３７】
また、図４に示す閉止機能は、熱源ユニットと貯湯タンクユニットが接続され、かつ、湯水で満たされている場合に、湯水を排水することなく熱源ユニットもしくは貯湯タンクユニットの交換作業を行う場合に必要とする機能であり、施工に関する専門知識を有する者の操作のため、止水弁ストッパー２５の着脱作業を正確に行うことが可能である。
【産業上の利用可能性】
【００３８】
以上のように、本発明にかかる貯湯式給湯機は、缶体保護弁を内蔵した止水弁のみを操作することで、前記水回路の閉止と貯湯タンクからの湯水の取り出しが可能となることから、熱源がヒートポンプ式や電気ヒータ等の貯湯式給湯機に適応できる。
【符号の説明】
【００３９】
７  貯湯タンク
８  給水管
１０  水回路（沸き上げ回路）
１１  止水弁
１２  排水路
１３  缶体保護弁
１６  導管
１９  缶体保護弁体
２０  缶体保護弁体押さえ
２１  缶体保護弁スプリング
２２  缶体保護弁スプリング押さえ
２３  缶体保護弁スプリング押さえストッパー
２４  シール部
２５  止水弁ストッパー
２６  開口部（排水穴）
２７  水漏れシール部
２８  止水弁体
【図１】
2013019649.tif 000003
【図２】
2013019649.tif 000004
【図３】
2013019649.tif 000005
【図４】
2013019649.tif 000006